(57)【特許請求の範囲】
【請求項１】
被検査体である感光体の装着部の周囲に順に配置された帯電装置と露光装置と除電装置を有し、帯電装置と露光装置の間に第１の表面電位計が配置され、露光装置と除電装置の間に第２の表面電位計が配置された感光体の特性評価装置の露光タイミング補正方法であって、
感光体の特性を評価する前に、あらかじめ異なる外径の感光体ごとに帯電装置で感光体表面を帯電したときの感光体の周方向の帯電幅を計測して感光体の外径と関連つけて入力し、感光体の特性を評価するときに、入力した感光体の外径から関連する帯電幅を読み出し、読み出した帯電幅と入力された感光体の線速により帯電装置で感光体の帯電を開始してから露光装置をオン−オフするタイミングの補正時間を演算し、演算した補正時間により露光装置をオン−オフするタイミングを補正することを特徴とする感光体の特性評価装置の露光タイミング補正方法。
【請求項２】
被検査体である感光体の装着部の周囲に順に配置された帯電装置と露光装置と除電装置を有し、帯電装置と露光装置の間に第１の表面電位計が配置され、露光装置と除電装置の間に第２の表面電位計が配置された感光体の特性評価装置の露光タイミング補正方法であって、
あらかじめ感光体を静止させた状態で帯電装置をオン−オフして感光体表面を帯電させた後、感光体を所定の線速で回転させ、第１の表面電位計で測定した感光体表面の変化と感光体の線速から感光体表面の周方向に形成された帯電幅を演算し、演算した帯電幅と感光体の線速により感光体の特性を評価するときの帯電装置で感光体の帯電を開始してから露光装置をオン−オフするタイミングの補正時間を演算し、感光体の特性を評価するとき、演算した補正時間により露光装置をオン−オフするタイミングを補正することを特徴とする感光体の特性評価装置の露光タイミング補正方法。
【発明の詳細な説明】
【０００１】
【発明の属する技術分野】
この発明は、デジタル電子写真プロセスに使用される感光体の特性評価装置の露光タイミング補正方法に関するものである。
【０００２】
【従来の技術】
電子写真プロセスに使用する感光体特性の評価、特に感度特性の測定方法としては各種方法が採用されている。第１の測定方法は感光体を１０００ｒ．ｐ．ｍ以上の高速回転させた状態で感光体の表面を帯電し、所定の時間あるいは所定の表面電位になったところで帯電をオフし、その後、帯電した感光体の表面に光を照射して所定の時間あるいは所定の表面電位になるまで露光する。この露光により感光体が所定の表面電位になるまで減衰に要した時間と露光する照度の積を計算して得た露光量を感光体の感度としている。
【０００３】
第２の測定方法は、電子写真学会標準の白色感光度測定法のダイナミック測定法に示すように、感光体を１００ｒ．ｐ．ｍ以下の低速で回転させた状態で、あらかじめ所定の表面電位になるよう調節された帯電条件で感光体の表面を帯電し、感光体表面の帯電部分が露光部を通り過ぎてゆくとき、あらかじめ定められた照度でスリット光を照射して露光を行ない、露光部を通り過ぎた後、所定の位置又は時間における表面電位を測定し、測定した表面電位の値を感光体の感度としている。
【０００４】
第３の測定方法は、電子写真学会標準の白色感光度測定法のスタティック測定法に示すように、感光体を１００ｒ．ｐ．ｍ以下の低速で回転させた状態で、あらかじめ所定の表面電位になるように調節された帯電条件で感光体の表面を帯電し、感光体表面の帯電部分が露光部にきたときに感光体の回転を停止させ、あらかじめ定めた照度の光をあらかじめ決められた時間だけ照射し、表面電位の変化を表面電位計で測定し、所定の表面電位減衰に要した露光量を感光体の感度としている。
【０００５】
これらの方法は一般的によく知られている方法であるが、もともと結像光学系の複写機の電子写真プロセスに対応して考えられた方法であって、現在主流のデジタル電子写真プロセスでは、従来のプロセスに対して感光体に当てられる光のパワーは６〜７乗のオーダで強くなっており、照射時間は逆に６〜７乗のオーダで短くなっており、従来の測定方法ではデジタル電子写真プロセスにおける感光体の特性を予測できないことが判ってきた。
【０００６】
レーザ書込みの露光装置を使用するデジタル用マシンに搭載される感光体の感度特性の評価でマシン内における特性を予測するためには、実マシンで感光体に施されるのと同じ条件の尺度（スケール）で光照射して評価するのが望ましい。このために露光光学系として実マシンと同じ方式のレーザ書込み装置を利用すると良い。そこで特性評価装置として、感光体の周囲に帯電装置と帯電後の電位を測定する表面電位計とレーザ書込みを行なう露光装置とレーザ露光後の表面電位を測定する表面電位計及び除電装置を必要最小限のプロセス装置として配置する。これらの装置のオン−オフのタイミングは不要な光照射によって感光体が疲労するのを防ぐため実マシンに似たタイミングで制御する。すなわち、感光体が回転し、帯電装置がオンしたときから感光体の中心からみて帯電装置と露光装置のレーザビーム入射位置とが形成する角度をθ2度、感光体の外径をＤ、感光体の線速をＶとすると、露光装置をオンするタイミングは、πＤ（θ2／３６０）／Ｖ時間後であるのが普通である。このレーザ書込み光学系による露光がオンしたときからあらかじめ定められた時間が経過したときに露光がオフになる。この露光時間は実マシンではプリントあるいは複写される用紙の送り方向のサイズを線速で割った時間を基準に決められる。この時間は帯電器がオン−オフしている時間とも同じである。
【０００７】
【発明が解決しようとする課題】
しかしながらレーザ書込みの露光を受けた後の表面電位計の計測データには帯電エリアの先端部と終端部に鋭いひげのような突起（露光されていない部分）がでてしまう。感光体の特性評価装置では上記計測を繰り返すが、集録したデータの自動解析で、この鋭いひげのような突起が障害になることある。この問題の原因は帯電装置の開口幅に起因し、帯電開始時と帯電終了時に感光体表面の帯電部分に広がりが生じるためであり、露光されない部分が発生してしまうためと判明し、この問題を防ぐためにレーザ書込みオンのタイミングとオフのタイミングを調整すれば良いことを見出した。
【０００８】
デジタル電子写真プロセスを採用したマシンのなかには、帯電時間がレーザ露光時間より短く設定されたものがあるが、一通りの固定した条件設定であり、感光体の小径ドラムから大径ドラムまでに対応する特性評価装置ではドラムサイズはもとより帯電器のサイズも変わるため、柔軟なレーザ露光のオン−オフタイミングの調整機構が望まれる。
【０００９】
この発明はかかる要望に対応するためになされたものであり、実マシンと同様なタイミングでプロセス装置をオン−オフしてデジタル用感光体の特性を評価するときに、レーザ書込みのオン−オフのタイミング時間を調整することにより、レーザ露光後の表面電位データの先端部と終端部に現れる鋭いひげ（露光されていない部分）をなくすようにした感光体の特性評価装置の露光タイミング補正方法を提供することを目的とするものである。
【００１０】
また、感光体表面の帯電幅に基づきレーザ書込みのオン−オフのタイミング時間を調整したり、感光体の大きさや帯電器の開口サイズ及び種類が変わっても間違いなくレーザ書込みのオン−オフのタイミング時間を調整して感光体の特性を精度良く計測する特性評価装置の露光タイミング補正方法を提供することを目的とする。
【００１１】
【課題を解決するための手段】
この発明に係る感光体の特性評価装置の露光タイミング補正方法は、被検査体である感光体の装着部の周囲に順に配置された帯電装置と露光装置と除電装置を有し、帯電装置と露光装置の間に第１の表面電位計が配置され、露光装置と除電装置の間に第２の表面電位計が配置された感光体の特性評価装置の露光タイミング補正方法であって、感光体の特性を評価する前に、あらかじめ異なる外径の感光体ごとに帯電装置で感光体表面を帯電したときの感光体の周方向の帯電幅を計測して感光体の外径と関連つけて入力し、感光体の特性を評価するときに、入力した感光体の外径から関連する帯電幅を読み出し、読み出した帯電幅と入力された感光体の線速により帯電装置で感光体の帯電を開始してから露光装置をオン−オフするタイミングの補正時間を演算し、演算した補正時間により露光装置をオン−オフするタイミングを補正することを特徴とする。
【００１２】
この発明に係る感光体の特性評価装置の他の露光タイミング補正方法は被検査体である感光体の装着部の周囲に順に配置された帯電装置と露光装置と除電装置を有し、帯電装置と露光装置の間に第１の表面電位計が配置され、露光装置と除電装置の間に第２の表面電位計が配置された感光体の特性評価装置の露光タイミング補正方法であって、あらかじめ感光体を静止させた状態で帯電装置をオン−オフして感光体表面を帯電させた後、感光体を所定の線速で回転させ、第１の表面電位計で測定した感光体表面の変化と感光体の線速から感光体表面の周方向に形成された帯電幅を演算し、演算した帯電幅と感光体の線速により感光体の特性を評価するときの帯電装置で感光体の帯電を開始してから露光装置をオン−オフするタイミングの補正時間を演算し、感光体の特性を評価するとき、演算した補正時間により露光装置をオン−オフするタイミングを補正することを特徴とする。
【００１５】
【発明の実施の形態】
この発明の感光体の特性評価装置は、被測定物である感光体の装着部の周囲に帯電装置と露光装置と除電装置が配置され、帯電装置と露光装置の間に第１の表面電位計が配置され、露光装置と除電装置の間に第２の表面電位計が配置されている。感光体は駆動機構部に回転自在に保持されている。帯電装置と除電装置及び第１の表面電位計と第２の表面電位計は、感光体の周方向と径方向と長手方向とに移動できるように共通の架台に取り付けられている。露光装置はレーザ書込装置からなり、感光体の径方向と長手方向に可動でき、感光体の径方向には感光体表面とレーザ書込系のｆθレンズの焦点距離だけ間隔がとられるように決められる。
【００１６】
制御部には、入力部とタイミング設定部とコントローラと評価部及び出力部を有する。入力部は検査する感光体の外径Ｄと感光体の線速Ｖと、露光装置のレーザスキャン副走査方向の解像度と、帯電装置で帯電する帯電時間と、露光装置のレーザ露光時間と、感光体の中心に対する露光装置の位置を基準にした除電装置の感光体の周方向における配置角度と、帯電装置の感光体の周方向における配置角度と、第１の表面電位計の感光体の周方向における配置角度及び第２の表面電位計の感光体の周方向における配置角度等の情報を入力する。タイミング設定部は入力部から入力した各種情報と第１の表面電位計から入力した感光体の表面電位から帯電装置のオン−オフのタイミングと露光装置の露光のオン−オフのタイミングを設定する。コントローラは入力部から入力した各種情報により感光体を回転駆動するとともに帯電装置と露光装置及び除電装置の動作を制御し、入力部から入力した各種情報と第１の表面電位計と第２の表面電位計から入力した感光体の表面電位を評価部に送る。評価部は送られた各種情報と感光体の表面電位と露光量を感光体の感度として評価し出力部を介して表示装置やプリンタに出力する。
【００１７】
感光体の感度を測定するときに、タイミング設定部は除電装置をオンにしてから帯電装置をオンにするまでのタイミングを、入力部から入力した感光体の外径Ｄと線速Ｖと除電装置の感光体の周方向における配置角度と帯電装置の感光体の周方向における配置角度とから設定し、帯電装置をオンにしたときの帯電開始点が露光装置のレーザ書込み位置に到達するまでのタイミングを、感光体の外径Ｄと線速Ｖと帯電装置の感光体の周方向における配置角度とから設定し、帯電装置の帯電時間と露光装置のレーザ露光時間は紙送りサイズで指定する。さらに、露光装置のタイミングとレーザ露光時間を補正する補正時間を設定する。この補正時間は、あらかじめ感光体を静止させた状態で帯電装置を短時間オン−オフして感光体の表面を帯電して、感光体の表面に帯電部を形成する。その後、感光体を所定の線速で回転させ、第１の表面電位計で感光体の帯電部の電位を計測する。タイミング設定部は第１の表面電位計で計測している帯電電位と感光体の線速から感光体の帯電部の帯電幅を算出し、算出した帯電幅を感光体の線速で除算して補正時間を演算する。この補正時間を紙送りサイズで定まるレーザ露光時間の前後に加えて、露光装置のオン−オフの補正タイミングを設定する。
【００１８】
このようにタイミング設定部で露光のオン−オフの補正タイミングを設定することにより、帯電装置により帯電した感光体の帯電部の先端（帯電開始時、帯電装置がワイヤであればワイヤ直下位置）がレーザ書込み位置に到達する時間より早く露光をオンにすることができるとともに感光体の帯電部の終端（帯電終了時、帯電装置がワイヤであればワイヤ直下位置）がレーザ書込み位置を通り過ぎた時間より遅く露光をオフにすることができ、感光体の帯電部に露光されていなく、第２の表面電位計の計測データに鋭いひげのような突起が現れることを防ぐことができる。
【００１９】
【実施例】
図１はこの発明の一実施例の構成図である。図に示すように、感光体の特性評価装置は、被測定物である感光体１の装着部の周囲に帯電装置２と露光装置３と除電装置４が配置され、帯電装置２と露光装置３の間に第１の表面電位計５が配置され、露光装置３と除電装置４の間に第２の表面電位計６が配置されている。感光体１は駆動機構部に回転自在に保持されている。帯電装置２と除電装置４及び第１の表面電位計５と第２の表面電位計６は、感光体１の周方向と径方向と長手方向とに移動できるように共通の架台に取り付けられている。露光装置３はレーザ書込装置からなり、感光体１の径方向と長手方向に可動でき、感光体１の径方向には感光体１表面とレーザ書込系のｆθレンズの焦点距離だけ間隔がとられるように決められる。
【００２０】
露光装置３のレーザ書込系のｆθレンズの焦点距離ｆ１は実際に使用する複写機等（以下、実マシンという）のレーザスキャン書込系のｆθレンズの焦点距離ｆ２と近いもの、例えば、実マシンのレーザスキャン書込系のｆθレンズの焦点距離ｆ２との比率ｆ２／ｆ１が「１」、好ましくは０．７５〜１．３３の範囲になっている。これは感光体１上の１点が露光される時間について、実マシンに対する差を極力小さくするためである。
【００２１】
特性評価装置の制御部には、図２のブロック図に示すように、入力部８とタイミング設定部９とコントローラ１０と評価部１１及び出力部１２を有する。入力部８は検査する感光体１の外径Ｄと感光体１の線速Ｖと、露光装置３のレーザスキャン副走査方向の解像度と、帯電装置２で帯電する帯電時間Ｔchと、露光装置３のレーザ露光時間Ｔexpと、感光体１の中心に対する露光装置３の位置を基準にした除電装置４の感光体１の周方向における配置角度θ1と、帯電装置２の感光体１の周方向における配置角度θ2と、第１の表面電位計５の感光体１の周方向における配置角度θ3及び第２の表面電位計６の感光体１の周方向における配置角度θ4等の情報を入力する。ここで各配置角度θ1〜θ4の単位は「度」で入力される。タイミング設定部９は入力部８から入力した各種情報と第１の表面電位計５から入力した感光体１の表面電位から帯電装置２のオン−オフのタイミングと露光装置３の露光のオン−オフのタイミングを設定する。コントローラ１０は入力部８から入力した各種情報により感光体１を回転駆動するとともに帯電装置２と露光装置３及び除電装置４の動作を制御し、入力部８から入力した各種情報と第１の表面電位計５と第２の表面電位計６から入力した感光体１の表面電位を評価部１１に送る。評価部１１は送られた各種情報と感光体１の表面電位と露光量を感光体１の感度として評価し出力部１２を介して表示装置やプリンタに出力する。
【００２２】
上記のように構成された特性評価装置において感光体１の感度を測定するときは、図３のタイムチャートに示すように、露光装置３のポリゴンミラーを回転するとともに感光体１を一定の回転速度で回転させながら、除電装置４で感光体１の表面を除電し、帯電装置２で感光体１の表面を所定の表面電位になるように帯電し、帯電した感光体１に露光装置３でレーザ光を照射する。この帯電したときの感光体１の表面電位を第１の表面電位計５で測定し、露光後の感光体１の表面電位を第２の表面電位計６で測定し、一方、電位減衰に要した露光量（到達エネルギ）Ｅを、
Ｅ＝（レーザの露光パワー×有効走査期間率）／（有効書込み幅×線速）
で計算し、計算した露光量と測定された露光後の電位あるいは露光前後の電位変化量との関係を感光体１の感度とする。この処理を感光体１に照射される露光パワーを換えて所定回数繰返す。
【００２３】
この感光体１の感度を測定するときに、タイミング設定部９は除電装置４をオンにしてから帯電装置２をオンにするまでのタイミングＴ１を、入力部８から入力した感光体１の外径Ｄと線速Ｖと除電装置４の感光体１の周方向における配置角度θ1と帯電装置２の感光体１の周方向における配置角度θ2とから、
Ｔ１＝πＤ〔（θ1−θ2）／３６０〕／Ｖ
で設定し、帯電装置２をオンにしたときの帯電開始点、すなわち帯電装置２がワイヤーを使用しているときはワイヤー直下の位置、帯電装置２がローラであるときはローラと感光体１の接触している部分の中央位置、帯電装置２が針電極であるときは針直下の位置が露光装置３のレーザ書込み位置に到達するまでのタイミングＴ２を、感光体１の外径Ｄと線速Ｖと帯電装置２の感光体１の周方向における配置角度θ2とから、
Ｔ２＝πＤ（θ2／３６０）／Ｖ
で設定し、帯電装置２の帯電時間Ｔchと露光装置３のレーザ露光時間Ｔexpは紙送りサイズ／線速で指定する。さらに、露光装置３のタイミングＴ２とレーザ露光時間Ｔexpを補正する補正時間ΔＴを設定する。そして帯電装置２をオンにしたときから時間（Ｔ２−ΔＴ）が経過したときに露光装置３の露光をオンにし、露光装置３の露光をオンにしてから時間（Ｔexp＋２ΔＴ）が経過したときに露光装置３の露光をオフにするように、露光のオン−オフのタイミングを設定する。
【００２４】
このようにタイミング設定部９で露光のオン−オフのタイミングを設定することにより、帯電装置２により帯電した感光体１の帯電部の先端（帯電開始時、帯電装置がワイヤであればワイヤ直下位置）がレーザ書込み位置に到達する時間より早く露光をオンにすることができるとともに感光体１の帯電部の終端（帯電終了時、帯電装置がワイヤであればワイヤ直下位置）がレーザ書込み位置を通り過ぎた時間より遅く露光をオフにすることができ、感光体１の帯電部に露光されていなく、第２の表面電位計６の計測データに鋭いひげのような突起が現れることを防ぐことができ、感光体１の感度を安定して測定することができる。
【００２５】
このタイミング設定部９で露光装置３の露光をオン−オフするタイミングの補正時間ΔＴを設定するときの一例を説明する。あらかじめ感光体１を静止させた状態で帯電装置２を短時間オン−オフして、図４に示すように、感光体１の表面に帯電部１３を形成し、その後、感光体１を所定の線速で回転させ、形成した帯電部１３の帯電幅Ｗを表面電位計で測定しておく。この帯電幅Ｗを異なる外径Ｄの感光体１毎に行ない、感光体１の外径Ｄと関連つけて入力部８から入力しておく。そして感光体１の特性評価を開始するときに、タイミング設定部９で入力された感光体１の外径Ｄから帯電幅Ｗを読み出し、読み出した帯電幅Ｗと入力された感光体１の線速Ｖから補正時間ΔＴを、ΔＴ＝（Ｗ／２）／Ｖで演算すれば良い。
【００２６】
次ぎにタイミング設定部９で露光装置３の露光をオン−オフするタイミングの補正時間ΔＴを設定するときの第２の例を説明する。まず、図４に示すように、感光体１を静止させた状態で帯電装置２を短時間オン−オフして感光体１の帯電電位を１００Ｖから１０００Ｖ程度にする。なお、極性は感光体１の極性による。この帯電により感光体１の表面に帯電幅Ｗの帯電部１３が形成される。その後、感光体１を所定の線速Ｖで回転させ、第１の表面電位計５で感光体１の帯電部１３の電位を計測する。タイミング設定部９は第１の表面電位計５で計測している帯電電位と感光体１の線速Ｖから感光体１の帯電部１３の帯電幅Ｗを算出し、算出した帯電幅Ｗから補正時間ΔＴを、ΔＴ＝（Ｗ／２）／Ｖで演算する。この作業を感光体１の特性評価開始前に実行し、露光装置３の露光をオンするタイミング（Ｔ２−ΔＴ）とオフするタイミング（Ｔexp＋２ΔＴ）を設定する。その後、コントローラ１０はタイミング設定部９で設定されたタイミングに基づいて感光体１の特性評価の一連のプログラムを実行する。このようにして補正時間ΔＴを演算して露光のオン−オフのタイミングを設定することにより、帯電装置２により帯電した感光体１の帯電部の先端がレーザ書込み位置に到達する時間より早く、あるいはほぼ同時に露光をオンにすることができるとともに感光体１の帯電部の終端がレーザ書込み位置を通り過ぎた時間より遅く、あるいはほぼ同時に露光をオフにすることができる。
【００２７】
また、露光装置３の露光をオン−オフするタイミングの補正時間ΔＴを設定する第３の例は、感光体１を所定の線速Ｖで回転させながら帯電装置２をオン−オフにして感光体１の表面を帯電する。この時から感光体１表面に形成された帯電部１３の先端が第１の表面電位計５で検出されるまでの時間Ｔｎを計測する。そして感光体１の外径Ｄと帯電装置２の感光体１の周方向における配置角度θ2と第１の表面電位計５の感光体１の周方向における配置角度θ3と感光体１の線速Ｖで定まる時間Ｔ23＝πＤ〔（θ2−θ3）／３６０〕／Ｖと時間Ｔｎとの差から補正時間ΔＴをΔＴ＝（Ｔ23−Ｔｎ）で演算する。この作業を感光体１の特性評価開始前に実行し、露光装置３の露光をオンするタイミング（Ｔ２−ΔＴ）とオフするタイミング（Ｔexp＋２ΔＴ）を設定する。その後、コントローラ１０はタイミング設定部９で設定されたタイミングに基づいて感光体１の特性評価の一連のプログラムを実行する。このようにして異なる外径Ｄの感光体１の特性を評価する場合や帯電装置２の開口サイズが変わっても、露光装置３の露光をオン−オフするタイミングを適正に設定することができ、感光体１の感度を安定して測定することができる。
【００２８】
〔具体例１〕  例えば感光体周方向に２０ｍｍの幅を有し、６０μｍの外径を有する線に高圧を印加してコロナ放電によりスコロトロン方式で、グリッド電圧が±１５００Ｖまで印加可能な帯電装置２を使用して外径Ｄ＝６０ｍｍで長さＬ＝３４０ｍｍの感光体１を静止した状態で帯電したときの帯電幅Ｗを調べた結果１６ｍｍであった。そこであらかじめ帯電幅Ｗ＝２４ｍｍと、帯電幅Ｗ＝２１ｍｍと、帯電幅Ｗ＝１６ｍｍと、帯電幅Ｗ＝０ｍｍ及び感光体１の線速Ｖ＝１８０ｍｍ／ｓを入力して、補正時間ΔＴを演算して露光装置３の露光をオンするタイミング（Ｔ２−ΔＴ）とオフするタイミング（Ｔexp＋２ΔＴ）を設定した。この設定したタイミングで感光体１の特性評価の一連のプログラムを実行して、露光後の感光体１の表面電位を第２の表面電位計６で計測した結果を下記表１に示す。
【００２９】
【表１】
0003717728.tif 000002
【００３０】
上記表１において、評価結果の○印は第２の表面電位計６の計測データに鋭いひげのような突起が現れず、感光体１の感度を安定して測定することができた場合を示し、×印は第２の表面電位計６の計測データに鋭いひげのような突起が現れ、感光体１の感度を安定して測定できなかった場合を示す。表１に示すように、帯電幅Ｗ＝１６ｍｍで補正時間ΔＴ＝０．０４４秒以上の場合には感光体１の感度を安定して測定することができた。
【００３１】
〔具体例２〕  具体例１と同じ帯電装置を使用し、外径Ｄ＝３０ｍｍで長さＬ＝３４０ｍｍの感光体１を線速は９３ｍｍで回転しながら感光体１の表面を帯電した。この感光体１表面に形成された帯電部１３の先端が第１の表面電位計５で検出されるまでの時間Ｔｎを計測して感光体１の外径Ｄと帯電装置２の感光体１の周方向における配置角度θ2と第１の表面電位計５の感光体１の周方向における配置角度θ3と感光体１の線速Ｖで定まる時間Ｔ23＝πＤ〔（θ2−θ3）／３６０〕／Ｖと時間Ｔｎとの差から補正時間ΔＴを調べた結果、補正時間ΔＴは、ΔＴ＝０．０９６秒であった。そこで補正時間ΔＴ＝０．９７秒と、ΔＴ＝０．９１秒及びΔＴ＝０．０５９秒をそれぞれ設定して露光装置３の露光をオンするタイミング（Ｔ２−ΔＴ）とオフするタイミング（Ｔexp＋２ΔＴ）を設定した。この設定したタイミングで感光体１の特性評価の一連のプログラムを実行して、露光後の感光体１の表面電位を第２の表面電位計６で計測した結果を下記表２に示す。下記表２において、帯電幅Ｗは補正時間に対応する帯電幅を示す。
【００３２】
【表２】
0003717728.tif 000003
【００３３】
上記表２において、評価結果の○印は第２の表面電位計６の計測データに鋭いひげのような突起が現れず、感光体１の感度を安定して測定することができた場合を示し、×印は第２の表面電位計６の計測データに鋭いひげのような突起が現れ、感光体１の感度を安定して測定できなかった場合を示す。表２に示すように、補正時間ΔＴを０．０９７秒に設定した場合には感光体１の感度を安定して測定することができたが、補正時間ΔＴが０．０９１秒と０．５９秒の場合には第２の表面電位計６の計測データに鋭いひげのような突起が現れ、感光体１の感度を安定して測定できなかった。
【００３４】
この具体例２において補正時間ΔＴを０．０９７秒に設定した場合と、補正時間ΔＴを０．０９１秒に設定した場合に、同一レーザパワーでＡ４横送り（２１０ｍｍ）サイズのレーザ書込みを５回繰り返し、その後、露光装置３のレーザパワーを変えて同じくＡ４横送りサイズのレーザ書込みを５回繰り返すことを交互に繰り返して第２の表面電位計６で感光体１の表面電位を測定して評価したデータを図５に示す。図５において、縦軸は露光後の感光体１表面電位（−極性）、横軸はデータサンプリングの数（インデックス）を示している。図５（ａ）に示すように、補正時間ΔＴを０．０９７秒に設定した場合には第２の表面電位計６の計測データに鋭いひげのような突起が現れず、感光体１の感度を安定して測定することができたが、（ｂ）に示すように、補正時間ΔＴを０．０９１秒とした場合には第２の表面電位計６の計測データに鋭いひげのような突起が現れ、感光体１の感度を安定して測定することができなかった。これは帯電装置２で感光体１の表面を帯電したときに、ある幅を持って帯電することに原因がある。この帯電幅Ｗは同じ帯電装置２を使用しても感光体１の外径Ｄが異なると相違する。そこで感光体１の特性評価の開始に先立って帯電幅Ｗを計測し、これにより特性評価のタイミング条件を設定することにより安定した感光体１の特性評価を行なうことができる。
【００３５】
【発明の効果】
この発明は以上説明したように、感光体の特性を評価する前に、あらかじめ帯電装置で感光体表面を露光したときの帯電幅を計測し、計測した帯電幅と感光体の線速から露光装置をオン−オフするタイミングの補正時間を演算し、感光体の特性を評価するときに、演算した補正時間により露光装置をオン−オフするタイミングを補正するようにしたから、帯電装置により帯電した感光体の帯電部の先端がレーザ書込み位置に到達する時間より早く、あるいはほぼ同時に露光をオンにすることができるとともに感光体の帯電部の終端がレーザ書込み位置を通り過ぎた時間より遅く、あるいはほぼ同時に露光をオフにすることができ、感光体の帯電部に露光されていなく第２の表面電位計の計測データに鋭いひげのような突起が現れることを防ぐことができ、感光体の感度を安定して測定することができる。
【００３６】
また、感光体を静止させた状態で帯電装置をオン−オフして感光体表面を帯電させた後、感光体を所定の線速で回転させ、第１の表面電位計で測定した感光体表面の変化と感光体の線速から感光体表面に形成された帯電幅を演算し、演算した帯電幅と感光体の線速から露光装置をオン−オフするタイミングの補正時間を演算し、演算した補正時間により露光装置をオン−オフするタイミングを補正することにより、露光装置をオン−オフするタイミングを自動的に補正することができ、感光体の特性評価を効率的に行なうことができる。
【００３８】
さらに、感光体を所定の線速で回転させながら帯電装置により感光体の表面を帯電し、感光体の表面にこの時から形成された帯電部の先端を第１の表面電位計で検出した時間と、帯電装置と第１の表面電位計と露光装置の感光体の周方向に対する配置位置と感光体の外径及び感光体の線速とで定まる時間とから露光装置をオン−オフするタイミングの補正時間を演算し、演算した補正時間により露光装置をオン−オフするタイミングを補正することにより、異なる外径の感光体の特性を評価する場合や帯電装置の開口サイズが変わっても、露光装置の露光をオン−オフするタイミングを適正に設定することができ、感光体の感度を安定して測定することができる。
【図面の簡単な説明】
【図１】この発明の実施例の構成図である。
【図２】上記実施例の制御部の構成を示すブロック図である。
【図３】上記実施例の動作を示すタイムチャートである。
【図４】感光体の帯電部を示す配置図である。
【図５】感光体の露光後の表面電位の測定結果を示す特性図である。
【符号の説明】
１；感光体、２；帯電装置、３；露光装置、４；除電装置、
５；第１の表面電位計、６；第２の表面電位計、７；制御部、
８；入力部、９；タイミング設定部、１０；コントローラ、
１１；評価部、１２；出力部、１３；帯電部。
【図１】
0003717728.tif 000004
【図２】
0003717728.tif 000005
【図３】
0003717728.tif 000006
【図４】
0003717728.tif 000007
【図５】
0003717728.tif 000008